(57)【要約】【課題】  原稿を汚すことなく原稿上の特定の範囲だけを読取り可能な画像読取装置を提供する。【解決手段】  原稿（２００）を載置可能に構成された原稿載置部（ガラス１００）と、前記原稿載置部上を平行移動可能に構成された読取箇所ガイド（スライドバー１１０Ａ〜１１０Ｄ）と、前記原稿における、前記読取箇所ガイドによって特定された読取対象箇所を読取り可能に構成された読取部（ＣＩＳ１２０）と、前記読取部が読取った画像を記憶可能に構成された記憶部（３２０）と、を備えることを特徴とする画像読取装置を提供する。【選択図】  図１
2015220649.tif 000002
【特許請求の範囲】
【請求項１】
原稿を載置可能に構成された原稿載置部と、
前記原稿載置部上を平行移動可能に構成された読取箇所ガイドと、
前記原稿における、前記読取箇所ガイドによって特定された読取対象箇所を読取り可能に構成された読取部と、
前記読取部が読取った画像を記憶可能に構成された記憶部と、を備える
ことを特徴とする画像読取装置。
【請求項２】
前記読取箇所ガイドは、
第１の方向に平行移動可能な第１方向ガイドと、
前記第１の方向に対して垂直な第２の方向に平行移動可能な第２方向ガイドと、を含んで構成される
ことを特徴とする請求項１に記載の画像読取装置。
【請求項３】
前記読取箇所ガイドは、
第１の方向に平行移動可能な複数の第１方向ガイドと、
前記第１の方向に対して垂直な第２の方向に平行移動可能な複数の第２方向ガイドと、を含んで構成される
ことを特徴とする請求項１に記載の画像読取装置。
【請求項４】
原稿を載置可能に構成された原稿載置部と、
前記原稿載置部に載置される原稿の全体を覆うことができる透過性材料で形成され、マーカーにより書込み可能に構成されたマーカーシートと、
前記原稿における、前記マーカーシートの書込みに基づいて特定された読取対象箇所を読取り可能に構成された読取部と、
前記読取部が読取った読取画像を記憶可能に構成された記憶部と、を備え、
前記マーカーシートは前記原稿載置部と一体に構成されている
ことを特徴とする画像読取装置。
【請求項５】
前記読取部によって読取られた第１の読取画像と、前記読取部によって読取られた該第１の読取結果とは異なる第２の画像とを合成して合成画像を生成可能に構成された画像合成部をさらに備え、
前記記憶部は、前記合成画像を記憶可能に構成された
ことを特徴とする請求項１乃至請求項４のいずれか１項に記載の画像読取装置。
【発明の詳細な説明】
【技術分野】
【０００１】
本発明の一態様は、原稿上の画像を読取る画像読取装置に関し、特に、原稿上の特定部分の画像を読取り可能な画像読取装置に関する。
【背景技術】
【０００２】
従来から、光学センサを用いて原稿に記載された画像（文字及び記号などを含む）を読取り、この原稿上の画像をディジタル化したデータとして記憶する画像読取装置が知られている。このような画像読取装置の中には、原稿上の特定の部分の画像のみを読取り可能な装置がある。例えば、特許文献１には、原稿上に書き込まれたマーカーによって指定された範囲の画像を読み取り、この読取り画像を別画像と合成する画像形成装置が開示されている。また、特許文献２には、原稿上に色マーカーで指定された画像処理領域内の画像データを抽出して記憶し、出力画像上の一方端にまとめて出力する画像処理装置について開示されている。さらに、特許文献３には、透明または半透明のフィルムシート上に書き込まれたマーカーで指定された範囲の画像を、別の画像と合成するスキャナー装置について開示されている。
【先行技術文献】
【特許文献】
【０００３】
【特許文献１】特開平５−３５３９号公報
【特許文献２】特開平６−１３３１５０号公報
【特許文献３】特開２００１−３４６０２５号公報
【発明の概要】
【発明が解決しようとする課題】
【０００４】
しかしながら、特許文献１及び特許文献２に開示された技術では、読取り範囲を、原稿上に書き込んだマーカーで指定するため、原稿を汚してしまう課題があった。また、特許文献３に開示された技術では、フィルムシート上に書き込んだマーカーにより読取り範囲を指定するため原稿自体は汚れないものの、フィルムシートを準備する必要があった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
原稿（２００）を載置可能に構成された原稿載置部（ガラス１００）と、
前記原稿載置部上を平行移動可能に構成された読取箇所ガイド（スライドバー１１０Ａ〜１１０Ｄ）と、
前記原稿における、前記読取箇所ガイドによって特定された読取対象箇所を読取り可能に構成された読取部（ＣＩＳ１２０）と、
前記読取部が読取った画像を記憶可能に構成された記憶部（３２０）と、を備える
ことを特徴とする画像読取装置である。
【０００７】
上記構成の画像読取装置によれば、原稿をマーカーで汚すことなく、特定された読取対象箇所を読取ることが可能となる。また、フィルムシートのような別部材を準備する必要がなく、簡単に原稿の特定部分の読取りを実行可能となる。また、読取対象箇所のみの読取りを行うため、原稿を高速に読取ることができ、読取った画像を記憶させる記憶部（３２０）記憶容量も小さくすることができる。
【０００８】
本発明の手段２では、
前記読取箇所ガイドは、
第１の方向に平行移動可能な第１方向ガイド（スライドバー１１０Ａ及び１１０Ｂの少なくとも一方）と、
前記第１の方向に対して垂直な第２の方向に平行移動可能な第２方向ガイド（スライドバー１１０Ｃ及び１１０Ｄの少なくとも一方）と、を含んで構成される
ことを特徴とする手段１の画像読取装置である。
【０００９】
上記構成の画像読取装置によれば、第１方向ガイドと第２方向ガイドとによって特定された範囲の原稿上の箇所を簡単な操作で読取ることが可能となる。
【００１０】
本発明の手段３では、
前記読取箇所ガイドは、
第１の方向に平行移動可能な複数の第１方向ガイド（スライドバー１１０Ａ及び１１０Ｂ）と、
前記第１の方向に対して垂直な第２の方向に平行移動可能な複数の第２方向ガイド（スライドバー１１０Ｃ及び１１０Ｄ）と、を含んで構成される
ことを特徴とする手段１の画像読取装置である。
【００１１】
上記構成の画像読取装置によれば、複数の第１方向ガイドと複数の第２方向ガイドとによって矩形状に囲まれた範囲の原稿上の箇所を、簡単な操作で読取ることが可能となる。
【００１２】
本発明の手段４は、
原稿を載置可能に構成された原稿載置部（ガラス１００）と、
前記原稿載置部に載置される原稿の全体を覆うことができる透過性材料で形成され、マーカーにより書込み可能に構成されたマーカーシート（マーカー用ガラス１５０）と、
前記原稿における、前記マーカーシートの書込みに基づいて特定された読取対象箇所を読取り可能に構成された読取部（ＣＩＳ１２０）と、
前記読取部が読取った読取画像を記憶可能に構成された記憶部（３２０）と、を備え、
前記マーカーシート（マーカー用ガラス１５０）は前記原稿載置部（ガラス１００）と一体に構成されている
ことを特徴とする画像読取装置である。
【００１３】
上記構成の画像読取装置によれば、マーカーシートに書き込まれたマーカーによって特定される原稿上の箇所を読取ることが可能となる。また、このマーカーシートは画像読取装置と一体に構成されているため、画像読取装置と別に準備する必要がない。
【００１４】
本発明の手段５は、
前記読取部によって読取られた第１の読取画像と、前記読取部によって読取られた該第１の読取結果とは異なる第２の画像（例えば背景画像）とを合成して合成画像を生成可能に構成された画像合成部（制御部３００）をさらに備え、
前記記憶部（３２０）は、前記合成画像を記憶可能に構成された
ことを特徴とする上記いずれかの画像読取装置である。
【００１５】
上記構成の画像読取装置によれば、読取部によって読取られた原稿上の特定箇所の画像を、予め準備した背景画像などの別の画像と合成した画像を生成することが可能となる。
【図面の簡単な説明】
【００１６】
【図１】実施形態１の画像読取装置の外観を示す図。
【図２】実施形態１の画像読取装置の断面を示す図。
【図３】実施形態１の画像読取装置の構成を示す図。
【図４】実施形態１の画像読取装置の動作中の外観を示す図。
【図５】実施形態１の画像読取装置の動作中の断面を示す図。
【図６】実施形態２の画像読取装置の外観を示す図。
【図７】実施形態３の画像読取装置の外観を示す図。
【図８】実施形態３の画像読取装置の構成を示す図。
【図９】実施形態３のマーカー用ガラスを示す図。
【図１０】実施形態４の読取対象原稿を示す図。
【図１１】実施形態４の仮想ページの内容を示す図。
【発明を実施するための形態】
【００１７】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）画像読取装置の構成例
（２）画像読取装置の動作例
２．実施形態２
（１）画像読取装置の構成例
（２）画像読取装置の動作例
３．実施形態３
（１）画像読取装置の構成例
（２）画像読取装置の動作例
４．実施形態４
５．実施形態５
６．補足事項
７．本発明の特徴
【００１８】
＜１．実施形態１＞
まず、本発明の実施形態１について、図１乃至図５を参照しながら説明する。以下の説明では、まず図１乃至図３を参照して画像読取装置の構成例について説明し、その後図４及び図５を参照して画像読取装置の動作例について説明する。
【００１９】
＜（１）画像読取装置の構成例＞
図１は、本実施形態の画像読取装置の外観及び構成を示す図である。図２は、本実施形態の画像読取装置のａ−ｂ間（図１参照）での断面図である。図３は、本実施形態の画像読取装置の構成を示す図である。図１及び図２に示すように、本実施形態の画像読取装置は、ガラス１００、スライドバー１１０Ａ及び１１０Ｂ、ＣＩＳ１２０、外枠１３０、並びに天板１４０を含んで構成される。また、図３に示すように、本実施形態の画像読取装置は、制御部３００、読取箇所特定部３１０、及び記憶部３２０をさらに含んで構成される。
【００２０】
＜ガラス１００＞
ガラス１００は、透過性を有するガラスで形成され、該読取装置によって画像を読取る原稿を載置可能に構成される。ガラス１００の下方は空間が形成されており、後述のように、この空間にＣＩＳ１２０が配置される。
【００２１】
＜スライドバー１１０Ａ及び１１０Ｂ＞
スライドバー１１０Ａ及び１１０Ｂは、それぞれガラス１００と外枠１３０とからなる平面上に配置され、ガラス１００上をそれぞれ走査方向（図１中の矢印方向）に平行移動可能に構成される。スライドバー１１０Ａは、ガラス１００を上面側から見た上方向に配置され、スライドバー１１０Ｂは下方向に配置される。スライドバー１１０Ａ及び１１０Ｂは、後述の読取箇所特定部３１０に位置情報を出力可能に構成される。位置情報は、スライドバー１１０Ａ及び１１０Ｂがそれぞれ走査方向のどの位置に停止しているかを示す情報である。
【００２２】
＜ＣＩＳ１２０＞
ＣＩＳ１２０は、一般に知られるＣｏｎｔａｃｔ  Ｉｍａｇｅ  Ｓｅｎｓｏｒであり、光源（例えばＬＥＤ）、受光レンズ、及びＣＭＯＳイメージセンサを含んで構成される。図１に示すように、ＣＩＳ１２０は、ガラス１００の幅方向、すなわち走査方向（図１中に矢印で示す方向）と垂直な方向において、ガラス１００の長さ（幅）と同程度の長さ（幅）を有する。図２に示すように、ＣＩＳ１２０はガラス１００の下部に配置される。ＣＩＳ１２０は、走査方向に移動しながらガラス１００に載置された原稿に対して光源から光を照射し、この照射光に対する原稿からの反射光を、受光レンズを介してＣＭＯＳイメージセンサが受光し、受光した反射光に基づいて原稿上の画像（文字及び記号などを含む）を読取り可能に構成される。特に、本発明においては、ＣＩＳ１２０は、後述の読取箇所特定部３１０によって指定された、読取対象箇所について、原稿上の画像を読取る。この読取対象箇所はスライドバー１１０Ａ及び１１０Ｂによって特定されるが、読取対象箇所の特定に関する具体的な説明は後述する。
【００２３】
ＣＩＳ１２０は、読取った原稿上の画像をディジタルデータに変換し、画像データを制御部３００（後述）に出力可能に構成される。ＣＩＳ１２０は、制御部３００から入力された制御信号に応じて走査方向への移動、及びガラス１００に載置された画像の読取りを実行可能に構成される。
【００２４】
＜外枠１３０＞
外枠１３０は、画像読取装置の筐体の一部であって、ガラス１００を支持可能に形成される。外枠１３０は、プラスチックなどで形成される。
【００２５】
＜天板１４０＞
天板１４０は、画像読取装置の蓋として機能し、ガラス１００に原稿を載置して読取りを実行する際に閉じた状態で使用される。
【００２６】
＜読取箇所特定部３１０＞
読取箇所特定部３１０は、スライドバー１１０Ａ及び１１０Ｂから入力された位置情報に基づいて、ＣＩＳ１２０によって読取るべき走査方向の範囲を示す読取対象箇所情報を生成し、制御部３００に出力可能に構成される。読取対象箇所情報は、読取対象箇所である、スライドバー１１０Ａ及び１１０Ｂによって囲まれた範囲を示す情報である。
【００２７】
＜制御部３００＞
制御部３００は、ユーザからの操作に応じて、ガラス１００に載置された原稿のうち、読取箇所特定部３１０から入力された読取対象箇所情報に基づいて特定された読取対象箇所の読取りを実行するようＣＩＳ１２０を制御可能に構成される。制御部３００は、読取箇所特定部３１０から入力された読取対象箇所情報に基づいて特定される走査方向の特定範囲について、走査方向に移動しながら原稿を読取るよう、ＣＩＳ１２０に対して制御信号を出力可能に構成される。
【００２８】
ＣＩＳ１２０がガラス１００上の原稿の読取りを完了した後、制御部３００は、ＣＩＳ１２０から画像データを入力され、この画像データを記憶部３２０に記憶させる機能を備える。
【００２９】
＜記憶部３２０＞
記憶部３２０は、制御部３００から入力された画像データを記憶可能に構成される。
【００３０】
＜（２）画像読取装置の動作例＞
ここで、図４及び図５を参照しながら、実施形態１における画像読取装置の動作例について説明する。
【００３１】
まず、ユーザは、ガラス１００上に読取り対象の原稿２００を載置して、スライドバー１１０Ａ及び１１０Ｂを、所望の読取対象箇所を囲むよう移動させる。図４は、ユーザによってスライドバー１１０Ａ及び１１０Ｂを移動された状態の、画像読取装置の外観を示す図である。図５は、この状態での画像読取装置の断面を示す図である。図４及び図５に示される、スライドバー１１０Ａ及び１１０Ｂによって囲まれた部分が読取対象箇所である。
【００３２】
次にユーザは、画像読取装置またはこの画像読取装置に接続されたＰＣから、原稿読取を指示する操作入力を行う。画像読取装置の制御部３００は、ユーザによるこの操作入力を検出し、ＣＩＳ１２０による原稿の読取りを開始する。制御部３００は、まず、読取箇所特定部３１０に対して、読取対処箇所を示す読取対象箇所情報を要求する。読取箇所特定部３１０は、この指示に応答して、スライドバー１１０Ａ及び１１０Ｂの位置情報を取得する。すなわち、スライドバー１１０Ａ及び１１０Ｂは、それぞれの走査方向の停止位置を示す位置情報を読取箇所特定部３１０に出力する。読取箇所特定部３１０は、これらの位置情報に基づいて、読取対象箇所情報を生成し、制御部３００に出力する。読取対象箇所情報は、読取対象箇所の下端がスライドバー１１０Ａの位置であることを示す情報と、読取対象箇所の上端がスライドバー１１０Ｂの位置であることを示す情報とが含まれる。
【００３３】
制御部３００は、上記読取対象箇所情報に基づいて、スライドバー１１０Ａの下端位置からスライドバー１１０Ｂの上端位置までの範囲の読取対象箇所について、原稿２００の読取りを実行することを決定する。そして、制御部３００は、ＣＩＳ１２０に対して、読取対象箇所の読取りを実行するよう制御信号を出力する。
【００３４】
ＣＩＳ１２０は、制御部３００から入力された制御信号に基づいて、読取対象箇所の読取りを開始する。ＣＩＳ１２０は、スライドバー１１０Ａの下端位置まで移動し、さらに走査方向に移動しながら原稿２００の読取りを行い、スライドバー１１０Ｂの上端位置まで読取りを継続する。ＣＩＳ１２０は、スライドバー１１０Ｂの位置までの読取りが完了したら、原稿２００の読取りを完了する。走査方向に移動しながら原稿２００の読取りを実行している間、ＣＩＳ１２０は、読取った原稿２００の画像データ（ディジタルデータ）を制御部３００に逐次出力する。制御部３００は、この画像データを記憶部３２０に記憶させる。
【００３５】
上記のような処理の結果、記憶部３２０には、原稿２００のうち、読取対象箇所であるスライドバー１１０Ａ及び１１０Ｂによって囲まれた範囲の画像データが記憶されることとなる。そして、制御部３００は、ユーザによって指定された、画像読取装置に接続されたＰＣの所定の箇所などに、この画像データを転送し、原稿２００の読取り処理が完了する。
【００３６】
＜２．実施形態２＞
次に、本発明の実施形態２について、図６を参照しながら説明する。本実施形態は、実施形態１と比較して、スライドバー１１０Ｃ及び１１０Ｄが追加されており、スライドバー１１０Ａ〜１１０Ｄの４つのスライドバーによって囲まれた原稿上の箇所を読取対象箇所として読取る点で相違する。以下の説明では、実施形態１との相違点についてのみ具体的に説明し、実施形態１と同様の構成や機能についてはその説明を省略する。
【００３７】
＜（１）画像読取装置の構成例＞
図６は、本実施形態の画像読取装置の構成例を示す図である。なお、図６に示す画像読取装置では、ユーザによってスライドバー１１０Ａ〜１１０Ｄが読取対象箇所を示すよう動かされた状態を示している。上記のとおり、本実施形態の画像読取装置は、実施形態１の画像読取装置（図１参照）と比較して、スライドバー１１０Ｃ及び１１０Ｄが追加されている。
【００３８】
＜スライドバー１１０Ａ〜１１０Ｄ＞
スライドバー１１０Ａ〜１１０Ｄは、それぞれガラス１００と外枠１３０からなる平面上に配置される。スライドバー１１０Ａ及び１１０Ｂは、ガラス１００上をそれぞれ走査方向に（図１中の矢印方向）に平行移動可能に構成される。スライドバー１１０Ｃ及び１１０Ｄは、ガラス１００上を、走査方向と垂直な副走査方向に平行移動可能に構成される。実施形態１と同様、スライドバー１１０Ａは、ガラス１００を上面側から見た上方向に配置され、スライドバー１１０Ｂは下方向に配置される。スライドバー１１０Ｃは、ガラス１００を上面側から見た左方向に配置され、スライドバー１１０Ｄは右方向に配置される。スライドバー１１０Ａ〜１１０Ｄは、後述の読取箇所特定部３１０に位置情報を出力可能に構成される。位置情報は、スライドバー１１０Ａ及び１１０Ｂがそれぞれ走査方向のどの位置に停止しているかを示す情報、及びスライドバー１１０Ｃ及び１１０Ｄがそれぞれ副走査方向のどの位置に停止しているかを示す情報である。
【００３９】
＜読取箇所特定部３１０＞
読取箇所特定部３１０は、スライドバー１１０Ａ〜１１０Ｄから入力された位置情報に基づいて、ＣＩＳ１２０によって読取るべき、矩形状の、走査方向及び副走査方向の範囲を示す読取対象箇所情報を生成し、制御部３００に出力可能に構成される。読取対象箇所情報は、読取対象箇所である、スライドバー１１０Ａ〜１１０Ｄによって囲まれた範囲を示す情報である。
【００４０】
＜（２）画像読取装置の動作例＞
ここで、実施形態２における画像読取装置の動作例について説明する。
【００４１】
まず、ユーザは、ガラス１００上に読取り対象の原稿２００を載置して、スライドバー１１０Ａ〜１１０Ｄを、所望の読取対象箇所を囲むよう移動させる（図６参照）。図６に示される、スライドバー１１０Ａ〜１１０Ｄによって囲まれた矩形状の部分が読取対象箇所である。
【００４２】
次にユーザは、画像読取装置またはこの画像読取装置に接続されたＰＣから、原稿読取を指示する操作入力を行う。画像読取装置の制御部３００は、ユーザによるこの操作入力を検出し、ＣＩＳ１２０による原稿の読取りを開始する。制御部３００は、まず、読取箇所特定部３１０に対して、読取対処箇所を示す読取対象箇所情報を要求する。読取箇所特定部３１０は、この指示に応答して、スライドバー１１０Ａ〜１１０Ｄの位置情報を取得する。すなわち、スライドバー１１０Ａ〜１１０Ｄは、それぞれの走査方向または副走査方向の停止位置を示す位置情報を読取箇所特定部３１０に出力する。読取箇所特定部３１０は、これらの位置情報に基づいて、読取対象箇所情報を生成し、制御部３００に出力する。読取対象箇所情報は、読取対象箇所の下端がスライドバー１１０Ａの位置であることを示す情報、読取対象箇所の上端がスライドバー１１０Ｂの位置であることを示す情報、読取対象箇所の左端がスライドバー１１０Ｃの位置であることを示す情報、及び読取対象箇所の右端がスライドバー１１０Ｄの位置であることを示す情報、が含まれる。
【００４３】
制御部３００は、上記読取対象箇所情報に基づいて、スライドバー１１０Ａの下端位置からスライドバー１１０Ｂの上端位置までの範囲の読取対象箇所について、原稿２００の読取りを実行することに決定する。そして、制御部３００は、ＣＩＳ１２０に対して、読取対象箇所の読取りを実行するよう制御信号を出力する。
【００４４】
ＣＩＳ１２０は、制御部３００から入力された制御信号に基づいて、読取対象箇所の読取りを開始する。ＣＩＳ１２０は、スライドバー１１０Ａの下端位置まで移動し、さらに走査方向に移動しながら原稿２００の読取りを行い、スライドバー１１０Ｂの上端位置まで読取りを継続する。このとき、ＣＩＳ１２０は、スライドバー１１０Ｃ及び１１０Ｄにより示される副走査方向の特定範囲についてのみ、光源からの発光及び反射光の読取りを実行する。ＣＩＳ１２０は、スライドバー１１０Ｂの位置までの読取りが完了したら、原稿２００の読取りを完了する。走査方向に移動しながら原稿２００の読取りを実行している間、ＣＩＳ１２０は、読取った原稿２００の画像データ（ディジタルデータ）を制御部３００に逐次出力する。制御部３００は、この画像データを記憶部３２０に記憶させる。
【００４５】
上記のような処理の結果、記憶部３２０には、原稿２００のうち、読取対象箇所であるスライドバー１１０Ａ〜１１０Ｄによって囲まれた範囲の画像データが記憶されることとなる。そして、制御部３００は、ユーザによって指定された、画像読取装置に接続されたＰＣの所定の箇所などに、この画像データを転送し、原稿２００の読取処理が完了する。
【００４６】
＜３．実施形態３＞
次に、本発明の実施形態３について、図７乃至図９を参照しながら説明する。本実施形態は、実施形態１と比較して、スライドバー１１０Ａ及び１１０Ｂを備えない代わりにマーカー用ガラス１５０を備える点で相違する。また、読取対象箇所の決定処理が異なっている。以下の説明では、実施形態１との相違点についてのみ具体的に説明し、実施形態１と同様の構成や機能についてはその説明を省略する。
【００４７】
＜（１）画像読取装置の構成例＞
図７は、本実施形態の画像読取装置の外観及び構成を示す図である。図８は、本実施形態の画像読取装置の構成を示す図である。
【００４８】
＜マーカー用ガラス１５０＞
マーカー用ガラス１５０は、ガラス１００に載置される原稿２００の全体を覆う、ガラス１００よりも薄いガラスによって形成されており、マーカーにより書込み可能に構成される。マーカー用ガラス１５０に書き込まれたマーカーによって囲まれた範囲は、読取対象箇所を示す。原稿２００は、ガラス１００上ではなく、マーカー用ガラス１５０の上に載置される。
【００４９】
＜読取箇所特定部３１０Ａ＞
読取箇所特定部３１０Ａは、ＣＩＳ１２０による高速スキャンによって読取られたマーカー用ガラス１５０上のマーカーによる書込みに基づいて、ＣＩＳ１２０によって読取るべき原稿上の範囲を示す読取対象箇所情報を生成し、制御部３００に出力可能に構成される。すなわち、読取対象箇所情報は、読取対象箇所である、マーカーによって囲まれた範囲を示す情報である。
【００５０】
図９は、マーカー用ガラス１５０の構成例を示す図である。マーカー用ガラス１５０上には、ユーザのマーカーによる書込み４００が書き込まれている。
【００５１】
読取箇所特定部３１０Ａは、例えば、マーカーの色によって、マーカー用ガラス１５０上に書き込まれたマーカーを特定可能に構成される。あるいは、読取箇所特定部３１０Ａは、反射光の強さに応じて、マーカー用ガラス１５０上の書込みと原稿２００上の画像とを判別するようにしてもよい。
【００５２】
＜（２）画像読取装置の動作例＞
ここで、実施形態３における画像読取装置の動作例について説明する。
【００５３】
まず、ユーザは、マーカー用ガラス１５０上に、マーカーを用いて所望の読取対象箇所を示す書込み４００を書き込む。図９に示される、マーカーによる書込み４００によって囲まれた矩形状の部分が読取対象箇所である。
【００５４】
次にユーザは、画像読取装置またはこの画像読取装置に接続されたＰＣから、原稿読取を指示する操作入力を行う。画像読取装置の制御部３００は、ユーザによるこの操作入力を検出し、ＣＩＳ１２０による原稿の読取りを開始する。制御部３００は、まず、ＣＩＳ１２０及び読取箇所特定部３１０Ａに対して、高速スキャンを実行して読取対処箇所を示す読取対象箇所情報を生成するよう指示する。ＣＩＳ１２０は、この指示に応答して高速スキャンを実行する。高速スキャンでは、ＣＩＳ１２０は走査方向に移動しつつマーカー用ガラス１５０上のマーカーによる書込み４００を読取る。なお、高速スキャンではマーカー用ガラス１５０上のマーカーによる書込み４００のみの読取りが実行され、原稿２００の画像の読取りは行われない。ＣＩＳ１２０は、この読取結果を読取箇所特定部３１０Ａに出力する。読取箇所特定部３１０は、この読取結果に基づいてマーカー用ガラス１５０上のマーカーによる書込み４００によって特定される範囲である読取対象箇所を決定して読取対象箇所情報を生成し、制御部３００に出力する。
【００５５】
制御部３００は、上記読取対象箇所情報に基づいて、マーカーによる書込み４００の下端位置からマーカーによる書込み４００の上端位置までの走査方向の範囲の読取対象箇所について、原稿２００の読取りを実行することに決定する。そして、制御部３００は、ＣＩＳ１２０に対して、読取対象箇所の読取りを実行するよう制御信号を出力する。
【００５６】
ＣＩＳ１２０は、制御部３００から入力された制御信号に基づいて、読取対象箇所の読取りを開始する。ＣＩＳ１２０は、マーカーによる書込み４００の下端位置まで移動し、さらに走査方向に移動しながら原稿２００の読取りを行い、マーカーによる書込み４００の上端位置まで読取りを継続する。このとき、ＣＩＳ１２０は、マーカーによる書込み４００により示される副走査方向（走査方向と垂直な方向）の範囲についてのみ、光源からの発光及び反射光の読取りを実行する。ＣＩＳ１２０は、マーカーによる書込み４００の上端位置までの読取りが完了したら、原稿２００の読取りを完了する。走査方向に移動しながら原稿２００の読取りを実行している間、ＣＩＳ１２０は、読取った原稿２００の画像データ（ディジタルデータ）を制御部３００に逐次出力する。制御部３００は、この画像データを記憶部３２０に記憶させる。
【００５７】
上記のような処理の結果、記憶部３２０には、原稿２００のうち、読取対象箇所であるマーカーによる書込み４００によって囲まれた範囲の画像データが記憶されることとなる。そして、制御部３００は、ユーザによって指定された、画像読取装置に接続されたＰＣの所定の箇所などに、この画像データを転送し、原稿２００の読取処理が完了する。
【００５８】
＜４．実施形態４＞
次に、本発明の実施形態４について、図１０及び図１１を参照しながら説明する。本実施形態では、画像読取装置の構成及び読取対象箇所の読取りについては実施形態１と同様であるが、読取った複数の画像を合成してデータ量を圧縮している点で相違する。以下の説明では、本実施形態が実施形態１と異なる点についてのみ説明し、それ以外の説明については省略する。
【００５９】
図１０（ａ）は、第１の原稿２１０を、図１０（ｂ）は第２の原稿２２０を示す図である。ユーザは、原稿２１０及び２２０の読取りの前に、画像読取装置に対して、読取った原稿を合成する指示する旨の操作入力を行う。これに対応して、画像読取装置は、原稿２１０の読取対象箇所の画像部分５００と、原稿２２０の読取対象箇所の画像部分５１０とをそれぞれ読取る。制御部３００は、原稿２１０の読取対象箇所の画像部分５００を読取ったら、記憶部３２０に仮想ページ２３０を生成し、この仮想ページ２３０の最も上の部分に画像部分５００を挿入する（図１１参照）。次に、制御部３００は、原稿２２０の読取対象箇所の画像部分５１０を読取ったら、記憶部３２０に生成された仮想ページ２３０の、画像部分５１０が挿入された箇所のすぐ下の部分に画像部分５１０を挿入する（図１１参照）。
【００６０】
図１１は、このように原稿２１０及び２２０に対する読取対象箇所の読取りを行い、画像の合成が実行された結果の仮想ページの内容を示す図である。このように、記憶部３２０に記憶された仮想ページ２３０は、原稿２１０の画像部分５００と、原稿２２０の画像部分５１０とが合成された画像となる。制御部３００は、この仮想ページ２３０の内容を、ユーザによって指定された、画像読取装置に接続されたＰＣの所定の箇所などにこの画像データを転送して、原稿２００の読取処理が完了する。
【００６１】
＜５．実施形態５＞
次に、本発明の実施形態５について説明する。本実施形態では、画像読取装置の構成及び読取対象箇所の読取りについては実施形態１と同様であるが、読取った画像を予め準備された別の画像と合成して合成画像を生成する点で相違する。以下の説明では、本実施形態が実施形態１と異なる動作についてのみ説明し、それ以外の説明については省略する。
【００６２】
原稿２００の読取り処理が完了したら、制御部３００は、記憶部３２０に予め記憶されていた背景画像と、読取り処理で取得した画像データとを合成する処理を行う。制御部３００は、まず、記憶部３２０に記憶されていた背景画像の画像データを取得し、この画像データに読取り処理で取得された画像データを重ね合わせて合成した合成画像を生成して、この合成画像を記憶部３２０に記憶させる。
【００６３】
＜６．補足事項＞
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【００６４】
上記実施形態は組み合わせて実行することができる。例えば、実施形態２または実施形態３の構成で、実施形態４の動作を実行することが可能である。
【００６５】
また、実施形態１及び実施形態２では、それぞれ走査方向及び副走査方向に複数のスライドバーが配置される例について説明したが、必ずしも複数のスライドバーが配置されなくてもよい。この場合、スライドバーと、ガラス１００の端部によって囲まれた範囲に基づいて読取対象箇所が特定される。
【００６６】
また、上記実施形態では、ガラス１００及びマーカー用ガラス１５０はいずれもガラスで構成されていたが、これらはガラスではなく透明または半透明なプラスチックなどで構成されてもよい。
【００６７】
また、上記実施形態では、スライドバー１１０Ａ〜１１０Ｄはその走査方向または副走査方向の位置情報を出力し、読取箇所特定部３１０はこの位置情報に基づいて読取対象箇所を特定したが、この方法に限定されるものではない。例えば、実施形態３で説明したような高速スキャンを実行し、スライドバー１１０Ａ〜１１０Ｄによって囲まれた箇所を特定するよう動作させてもよい。
【００６８】
また、上記実施形態ではＣＩＳ１２０を用いて原稿の読取りを実行したが、ＣＩＳ以外の光学センサまたは光電センサを用いてもよい。
【００６９】
また、上記の実施形態１では走査方向にのみスライドバーを備える構成について説明したが、この走査方向とは垂直な副走査方向にのみスライドバーを備える構成としてもよい。
【００７０】
また、スライドバーによって読取対象箇所を特定する代わりに、Ｘ軸Ｙ軸（副走査方向の位置及び走査方向の位置）を特定可能なガイドによって、読取対象箇所を特定してもよい。このとき、例えば２つの右上ガイド及び左下ガイドの２つのガイドを利用し、これらのガイドによって囲まれる範囲を読取対象箇所として特定する方法を採りうる。
【００７１】
なお、本実施形態の画像読取装置は、読取った画像データを記憶部３２０に記憶させるのみならず、印刷を実行することによって、印刷機器または複写機としての機能を実行させることが可能である。このような構成の印刷機器または複写機では、一般的な印刷機器が備える、記録媒体にインクを吐出して印刷するための構成及び機能を備える。
【００７２】
また、各実施形態におけるＣＩＳ１２０が備える光源は、ＬＥＤ以外の光源であってもよい。
【００７３】
＜７．本発明の特徴＞
以上、説明したような構成の画像読取装置は以下のような特徴を持つ。
【００７４】
本発明の画像読取装置は、原稿２００を載置可能に構成された原稿載置部（ガラス１００）と、原稿載置部（ガラス１００）上を平行移動可能に構成された読取箇所ガイド（スライドバー１１０Ａ〜１１０Ｄ）と、原稿２００における、読取箇所ガイド（スライドバー１１０Ａ〜１１０Ｄ）によって特定された読取対象箇所を読取り可能に構成された読取部（ＣＩＳ１２０）と、読取部が読取った画像を記憶可能に構成された記憶部（３２０）と、を備えることを特徴とする。
【００７５】
上記構成の画像読取装置によれば、原稿をマーカーで汚すことなく、特定された読取対象箇所を読取ることが可能となる。また、フィルムシートのような別部材を準備する必要がなく、簡単に原稿の特定部分の読取りを実行可能となる。また、読取対象箇所のみの読取りを行うため、原稿を高速に読取ることができ、読取った画像を記憶させる記憶部３２０記憶容量も小さくすることができる。
【００７６】
また、本発明の画像読取装置では、読取箇所ガイドは、第１の方向（例えば走査方向）に平行移動可能な第１方向ガイド（スライドバー１１０Ａ及び１１０Ｂの少なくとも一方）と、第１の方向に対して垂直な第２の方向（例えば副走査方向）に平行移動可能な第２方向ガイド（スライドバー１１０Ｃ及び１１０Ｄの少なくとも一方）と、を含んで構成されることを特徴とする。
【００７７】
上記構成の画像読取装置によれば、第１方向ガイドと第２方向ガイドとによって特定された範囲の原稿上の箇所を簡単な操作で読取ることが可能となる。
【００７８】
また、本発明の画像読取装置では、読取箇所ガイドは、第１の方向（例えば走査方向）に平行移動可能な複数（２つ）の第１方向ガイド（スライドバー１１０Ａ及び１１０Ｂ）と、第１の方向に対して垂直な第２の方向（例えば副走査方向）に平行移動可能な複数（２つ）の第２方向ガイド（スライドバー１１０Ｃ及び１１０Ｄ）と、を含んで構成されることを特徴とする。
【００７９】
上記構成の画像読取装置によれば、複数の第１方向ガイドと複数の第２方向ガイドとによって矩形状に囲まれた範囲の原稿上の箇所を、簡単な操作で読取ることが可能となる。
【００８０】
また、本発明の画像読取装置は、原稿を載置可能に構成された原稿載置部（ガラス１００）と、原稿載置部（ガラス１００）に載置される原稿２００の全体を覆うことができる透過性材料で形成され、マーカーにより書込み可能に構成されたマーカーシート（マーカー用ガラス１５０）と、原稿２００における、マーカーシート（マーカー用ガラス１５０）の書込みに基づいて特定された読取対象箇所を読取り可能に構成された読取部（ＣＩＳ１２０）と、読取部が読取った読取画像を記憶可能に構成された記憶部（３２０）と、を備え、マーカーシート（マーカー用ガラス１５０）は原稿載置部（ガラス１００）と一体に構成されていることを特徴とする。
【００８１】
上記構成の画像読取装置によれば、マーカーシートに書き込まれたマーカーによって特定される原稿上の箇所を読取ることが可能となる。また、このマーカーシートは画像読取装置と一体に構成されているため、画像読取装置と別に準備する必要がない。
【００８２】
また、本発明の画像読取装置は、読取部（ＣＩＳ１２０）によって読取られた第１の読取画像と、読取部（ＣＩＳ１２０）によって読取られた該第１の読取結果とは異なる第２の画像（記憶部３２０に予め記憶されていた背景画像）とを合成して合成画像を生成可能に構成された画像合成部（制御部３００）をさらに備え、記憶部３２０は、合成画像を記憶可能に構成されたことを特徴とする。
【００８３】
上記構成の画像読取装置によれば、読取部によって読取られた原稿上の特定箇所の画像を、予め準備した背景画像などの別の画像と合成した画像を生成することが可能となる。
【産業上の利用可能性】
【００８４】
本発明は、画像読取装置または画像読取機能を備えるプリンタ複合機などとして好適に適用される。
【符号の説明】
【００８５】
１００…ガラス
１１０Ａ〜１１０Ｄ…スライドバー
１２０…ＣＩＳ
１３０…外枠
１４０…天板
１５０…マーカー用ガラス
２００、２１０、２２０…原稿
２３０…仮想ページ
３００…制御部
３１０、３１０Ａ…読取箇所特定部
３２０…記憶部
４００…マーカー書込み
５００、５１０…画像部分
【図１】
2015220649.tif 000003
【図２】
2015220649.tif 000004
【図３】
2015220649.tif 000005
【図４】
2015220649.tif 000006
【図５】
2015220649.tif 000007
【図６】
2015220649.tif 000008
【図７】
2015220649.tif 000009
【図８】
2015220649.tif 000010
【図９】
2015220649.tif 000011
【図１０】
2015220649.tif 000012
【図１１】
2015220649.tif 000013